(57)【要約】【課題】振動により音を出力するスピーカ等の振動体を備えるテレビジョン受像機等に適用することが可能で、コストの高騰を抑制しながらも、オイルクラックの発生を抑制することが可能な音響装置、筐体及びテレビジョン受像機を提供する。【解決手段】スピーカ１００を固定するゴムブッシュ１０１と、筐体１０内の後側に固定され前方へ延伸し、ゴムブッシュ１０１を介してスピーカ１００を支持する樹脂ボス１２０と、樹脂ボス１２０を支持する筒リブ１０２及び縦リブ１０３とを備え、樹脂ボス１２０の前方側の先端は、ゴムブッシュ１０１に接していない。また、筒リブ１０２及び縦リブ１０３は筐体１０内の前側に固定され後方へ延伸し、樹脂ボス１２０の外側又は内側に当接して樹脂ボス１２０を支持する。【選択図】図６
2019149745.tif 000002
【特許請求の範囲】
【請求項１】
振動により音を出力する振動体及び前記振動体を収納する筐体を備える音響装置であって、
前記振動体を固定するゴム体と、
前記筐体内の第１側に固定され、第１側から第２側へ延伸し、前記ゴム体を介して前記振動体を支持する樹脂製の第１支持部材と、
前記第１支持部材を支持する第２支持部材と
を備え、
前記第１支持部材の第２側の先端は、前記ゴム体の位置よりも延出し、
前記第２支持部材は、前記第１支持部材における前記ゴム体の支持位置よりも前記第２側で前記第１支持部材を支持する
ことを特徴とする音響装置。
【請求項２】
請求項１に記載の音響装置であって、
前記第１支持部材は、
筒状をなすボスであり、
前記第２支持部材は、
前記筐体内の第２側に一端が固定され、第１側へ延伸するリブであり、
前記第１支持部材の外側又は内側に当接して前記第１支持部材を支持する
ことを特徴とする音響装置。
【請求項３】
請求項１又は請求項２に記載の音響装置であって、
前記第２支持部材は、
内側に突起を有する筒状をなし、
前記第１支持部材に外嵌し、
前記突起が前記第１支持部材に当接して前記第１支持部材を支持する
ことを特徴とする音響装置。
【請求項４】
請求項１から請求項３までのいずれか１項に記載の音響装置であって、
前記振動体から出力される音に連動する画像を表示する表示部を更に備える
ことを特徴とする音響装置。
【請求項５】
請求項１から請求項４までのいずれか１項に記載の音響装置であって、
前記振動体に音を出力させる音情報を外部から受信する受信部を更に備える
ことを特徴とする音響装置。
【請求項６】
振動体を収納する筐体であって、
内部の第１側に固定され、第１側から第２側へ延伸し、前記振動体を固定するゴム体を介して前記振動体を支持する樹脂製の第１支持部材と、
前記第１支持部材を支持する第２支持部材と
を備え、
前記第１支持部材の第２側の先端は、前記ゴム体の位置よりも延出し、
前記第２支持部材は、前記第１支持部材における前記ゴム体の支持位置よりも前記第２側で前記第１支持部材を支持する
ことを特徴とする筐体。
【請求項７】
請求項１から請求項３までのいずれか１項に記載の音響装置と、
画像を表示する表示部と、
テレビジョン放送を受信する受信部と
を備え、
前記振動体は、前記受信部で受信したテレビジョン放送に基づく音を出力し、
前記表示部は、前記受信部で受信したテレビジョン放送に基づく映像を表示する
ことを特徴とするテレビジョン受像機。
【発明の詳細な説明】
【技術分野】
【０００１】
本発明は、振動により音を出力する振動体及び振動体を収納する筐体を備える音響装置、振動体を収容する筐体、及びテレビジョン受像機に関する。
【背景技術】
【０００２】
振動により音を出力するスピーカ（振動体）を備える様々な音響装置が普及している。例えば、液晶テレビにおいても、差別化、高品質化等の観点から画質だけでなく、音声も重要となっており、音響装置としても優れた性能が求められている。
高性能化されたスピーカとしては、筐体に振動が伝わることで不快な振動音が発生することを抑制するため、緩衝材を介して筐体に固定されたモデルが普及し、また提案されている（例えば、特許文献１参照。）。
【先行技術文献】
【特許文献】
【０００３】
【特許文献１】特開２０１５−１３５４８０号公報
【発明の概要】
【発明が解決しようとする課題】
【０００４】
しかしながら、緩衝材として、ゴム製品を使用した場合、ゴム製品からは油分が染みだす恐れがあり、染み出した油分により樹脂製の部材にはオイルクラックと呼ばれる割れが発生する恐れがある。また、オイルクラックの発生を防止するため、ゴム製品を支持する部材として金属支柱を用いるときがあるが、金属支柱では、コストの高騰等の問題が生じる恐れがある。
【０００５】
本発明は斯かる事情に鑑みてなされたものであり、オイルクラックの発生を抑制することが可能な音響装置の提供を目的とする。
【０００６】
また、本発明は、オイルクラックの発生を抑制することが可能な筐体の提供を他の目的とする。
【０００７】
更に、本発明は、オイルクラックの発生を抑制することが可能なテレビジョン受像機の提供を更に他の目的とする。
【課題を解決するための手段】
【０００８】
上記課題を解決するために、本願記載の音響装置は、振動により音を出力する振動体及び前記振動体を収納する筐体を備える音響装置であって、前記振動体を固定するゴム体と、前記筐体内の第１側に固定され、第１側から第２側へ延伸し、前記ゴム体を介して前記振動体を支持する樹脂製の第１支持部材と、前記第１支持部材を支持する第２支持部材とを備え、前記第１支持部材の第２側の先端は、前記ゴム体の位置よりも延出し、前記第２支持部材は、前記第１支持部材における前記ゴム体の支持位置よりも前記第２側で前記第１支持部材を支持することを特徴とする。
【０００９】
また、前記音響装置において、前記振動体から出力される音に連動する画像を表示する表示部を更に備えることを特徴とする。
【００１０】
更に、本願記載の筐体は、振動体を収納する筐体であって、内部の第１側に固定され、第１側から第２側へ延伸し、前記振動体を固定するゴム体を介して前記振動体を支持する樹脂製の第１支持部材と、前記第１支持部材を支持する第２支持部材とを備え、前記第１支持部材の第２側の先端は、前記ゴム体の位置よりも延出し、前記第２支持部材は、前記第１支持部材における前記ゴム体の支持位置よりも前記第２側で前記第１支持部材を支持することを特徴とする。
【００１１】
更に、本願記載のテレビジョン受像機は、前記音響装置と、画像を表示する表示部と、テレビジョン放送を受信する受信部とを備え、前記振動体は、前記受信部で受信したテレビジョン放送に基づく音を出力し、前記表示部は、前記受信部で受信したテレビジョン放送に基づく映像を表示することを特徴とする。
【発明の効果】
【００１２】
本発明に係る音響装置、筐体及びテレビジョン受像機は、振動体に取り付けられたゴム体を支持する樹脂製の第１支持部材を使用することで、コストの高騰を抑制しながらも、第１支持部材の先端以外の部分で支持し、更に、第１支持部材を第２支持部材で支持する。これにより、オイルクラックの発生を抑制することが可能である等、優れた効果を奏する。
【図面の簡単な説明】
【００１３】
【図１】本願記載の音響装置の外観の一例を示す概略斜視図である。
【図２】本願記載の音響装置の外観の一例を示す概略斜視図である。
【図３】本願記載の音響装置が備える筐体及び内部構造を概略的に示す概略正面図及び概略断面図である。
【図４】本願記載の音響装置が備える筐体内の一部の例を拡大して示す分解斜視図である。
【図５】本願記載の音響装置が備える筐体内の一部の例を拡大して示す斜視図である。
【図６】本願記載の音響装置が備える筐体の断面の一部を拡大して示す概略拡大断面図である。
【図７】本願記載の音響装置の制御構成の一例を示すブロック図である。
【発明を実施するための形態】
【００１４】
以下、本発明の実施形態について図面を参照しながら説明する。なお、以下の実施形態は、本発明を具現化した一例であって、本発明の技術的範囲を限定する性格のものではない。
【００１５】
＜音響装置の形状＞
図１及び図２は、本願記載の音響装置１の外観の一例を示す概略斜視図である。図１は、前方斜め上からの視点で音響装置１を示しており、図２は、後方斜め上からの視点で音響装置１を示している。図１及び図２は、本発明に係る音響装置１を液晶テレビジョン受像機に適用した例を示している。音響装置１は、奥行き方向が薄い略直方体状をなす筐体１０に脚部を取り付けた形状をなしている。筐体１０の前面には画像を表示する液晶パネル等の表示部１１が組み込まれている。なお、以下の説明において、液晶パネルの表示部１１側を前、他側を後とし、図１等に表した上側を上、下側を下として説明する。また、以下の説明において使用する前後上下は、前述した前後上下に対応し、左右は前方から見た左右に対応する。
【００１６】
図３は、本願記載の音響装置１が備える筐体１０及び内部構造を概略的に示す概略正面図及び概略断面図である。図３は、図１及び図２に示した音響装置１の前面に組み込まれた表示部１１を外し、筐体１０及び筐体１０内に収容された各種構成を示している。図３（ａ）は、概略正面図であり、図３（ｂ）はＡ−Ｂ方向の概略断面図である。筐体１０内の左右の下端近傍には、振動により音を出力する振動体としてスピーカ１００が配設されている。
【００１７】
図４は、本願記載の音響装置１が備える筐体１０内の一部の例を拡大して示す分解斜視図である。図４は、筐体１０内の一部として、左下側に配設されたスピーカ１００の支持構造を前方斜め上からの視点での分解斜視図として示している。なお、破線の円内は、構造の一部を更に拡大し、角度を若干変えて示している。図５は、本願記載の音響装置１が備える筐体１０内の一部の例を拡大して示す斜視図である。図５は、図４に例示した固定構造のうち、筐体１０側の部材について組み立てられた状態を示している。図６は、本願記載の音響装置１が備える筐体１０の断面の一部を拡大して示す概略拡大断面図である。図６は、図３（ｂ）に示した概略断面図において、スピーカ１００の下方を中心に拡大して示している。
【００１８】
筐体１０内に配設されたスピーカ１００は、略直方体状をなし、各面が略水平又は略垂直となるように固定されている。筐体１０内の下部には、左右に延びる樹脂板１２が配設されており、樹脂板１２により筐体１０内の下部に位置する各種部材は固定されている。スピーカ１００も同様であり、後方の筐体１０及び前方の樹脂板１２により支持されて筐体１０内に固定されている。
【００１９】
振動体の左右の下端には、振動体を筐体１０内に固定する固定板１００ａがそれぞれ形成されている。各固定板１００ａは、両面が前後を向くように略垂直に形成されており、前後に貫通し、左端又は右端に切り欠きが形成された略Ｃ字形状の貫通孔１００ｂが開設されている。
【００２０】
スピーカ１００の固定板１００ａの貫通孔１００ｂの内側には、略筒状をなすゴムブッシュ（ゴム体）１０１が嵌着しており、スピーカ１００は、ゴムブッシュ１０１を介して筐体１０内に固定されている。ゴムブッシュ１０１は、天然ゴム、合成ゴム等のゴム製の緩衝材である。略筒状をなすゴムブッシュ１０１は、貫通孔１００ｂの内側に対して、側面の中央部が当接し、両端部が貫通孔１００ｂからはみ出るようにして嵌め込まれている。スピーカ１００がゴムブッシュ１０１を介して筐体１０内に固定されることにより、スピーカ１００の振動が筐体１０に伝わることで不快な振動音が発生することを防止している。
【００２１】
樹脂板１２には、複数の樹脂ボス（第１支持部材）１２０が、後方へ向けて突出し、ゴムブッシュ１０１の内側に貫通している。樹脂ボス１２０は、筐体１０内の前面側（第１側）に位置する樹脂板１２に固定された固定端から筐体１０内の後面側（第２側）へ延伸する支持体１２０ａを備えた形状をなしている。支持体１２０ａは、細長い円筒状をなしており、ゴムブッシュ１０１の内側に嵌着し、ゴムブッシュ１０１を介してスピーカ１００を支持している。樹脂ボス１２０の支持体１２０ａの長さは、ゴムブッシュ１０１の前後方向の長さより長く、ゴムブッシュ１０１は、支持体１２０ａに貫通された状態で嵌め込まれているため、支持体１２０ａの後面側の先端は、ゴムブッシュ１０１の位置より後方へ延出しており、ゴムブッシュ１０１には接していない。
【００２２】
筐体１０内の後面側（第２側）には、細長い円筒状をなす樹脂製の筒リブ（第２支持部材）１０２が形成されており、筒リブ１０２は、筐体１０内側の後面に固定された固定端から前方（第１側）へ延伸されている。筒リブ１０２の前面側の先端は、ゴムブッシュ１０１の後面側の端部に当接している。筒リブ１０２の内径は、樹脂ボス１２０の支持体１２０ａの外径より大きく形成されており、樹脂ボス１２０の支持体１２０ａに外嵌している。筒リブ１０２の内側には、筒リブ１０２の長手方向に沿って筒リブ１０２の中軸方向に向かって突出する突起として一条の縦リブ（第２支持部材）１０３が形成されている。長手方向に延びる縦リブ１０３は、樹脂ボス１２０の下側に長手方向に沿って線状に当接し、樹脂ボス１２０を下側から支持している。
【００２３】
樹脂ボス１２０は、筐体１０内の前面側を固定端として固定されているが、固定端から後方へ延びる細長い略円筒状の支持体１２０ａの後方側の先端は自由端となっているため、樹脂ボス１２０だけに着目すれば、スピーカ１００を片持ち状態で支持している。しかしながら、筒リブ１０２に形成された縦リブ１０３が樹脂ボス１２０の先端を支持しているため、樹脂ボス１２０は片持ち状態とならず、縦リブ１０３が樹脂ボス１２０に発生する内部応力を低減する。このため、スピーカ１００を安定して支持することが可能となる。
【００２４】
＜音響装置の制御構成＞
次に、本願記載の音響装置１の制御系統の構成例について説明する。図７は、本願記載の音響装置１の制御構成の一例を示すブロック図である。音響装置１は、装置全体を制御するＣＰＵ（Central Processing Unit ）等の制御部１３を備え、更に、制御部１３により制御される前述のスピーカ１００及び表示部１１の他、記録部１４、外部情報受信部１５、復号部１６、操作部１７、操作情報受信部１８等の各種構成を備えている。
【００２５】
記録部１４は、ハードディスク、フラッシュメモリ等の各種メモリであり、制御部１３の制御により実行されるプログラムの他、音情報、映像情報等の各種情報が記録される。外部情報受信部１５は、テレビジョン放送の放送波を受信するアンテナ、他の装置から有線又は無線にて送信される情報を受信する受信回路等の回路であり、外部情報受信部１５により、音及び映像を連動して出力する音情報及び映像情報を受信する。復号部１６は、外部情報受信部１５が受信した音情報及び映像情報を復号するチューナ、復号回路等の回路である。なお、スピーカ１００は、復号された音情報に基づく音を出力し、表示部１１は、復号された映像情報に基づく映像を表示する。操作部１７は、操作を受け付ける操作ボタン等の部材及びその付属回路等の機構である。操作情報受信部１８は、リモートコントローラ（リモコン）等の外部装置から操作情報を受信する赤外線受光部及びその付属回路等の機構である。
【００２６】
以上のように、本願記載の音響装置１は、筐体１０の左右の下端近傍に、振動により音を出力するスピーカ（振動体）１００が配設されている。スピーカ１００は、ゴムブッシュ（ゴム体）１０１を介して筐体１０に固定されており、筐体１０に振動が伝わることで発生する不快な振動音を抑制している。また、スピーカ１００は、樹脂ボス（第１支持部材）１２０、筒リブ（第２支持部材）１０２、縦リブ（第２支持部材）１０３等の部材にて支持されている。スピーカ１００の支持を金属製の部材ではなく、樹脂製の部材で行うことにより、軽量化、コスト抑制等の効果を奏する。また、樹脂ボス１２０の支持体１２０ａでスピーカ１００を支持し、かつ、支持体１２０ａを筒リブ１０２及び縦リブ１０３にて支持することにより、樹脂ボス１２０が片持ち状態とならず、安定してスピーカ１００を支持することが可能となる。しかも、樹脂ボス１２０の支持体１２０ａの先端がゴムブッシュ１０１より後方へ延出、即ち、ゴムブッシュ１０１には接しない程度まで後方へ延出することにより、樹脂ボス１２０を筒リブ１０２及び縦リブ１０３で支持することを可能としている。更に、樹脂ボス１２０の先端をゴムブッシュ１０１より後方に延出させ、樹脂ボス１２０の先端以外の部分でスピーカ１００を支持することにより、ゴムブッシュ１０１全体を均等に樹脂ボス１２０で支えることが可能となる。設計公差、振動によるズレ等の要因を考慮し、ゴムブッシュ１０１全体を均等に樹脂ボス１２０で支えるように設計することにより、ゴムブッシュ１０１からの油分の染み出しを抑制し、染み出した油分により樹脂ボス１２０にオイルクラックが発生することを抑制することが可能となる。
【００２７】
本発明は、以上説明した実施形態に限定されるものではなく、他の様々な形態で実施することが可能である。そのため、斯かる実施形態はあらゆる点で単なる例示に過ぎず、限定的に解釈してはならない。本発明の範囲は請求の範囲によって示すものであって、明細書本文には、なんら拘束されない。更に、請求の範囲の均等範囲に属する変形及び変更は、全て本発明の範囲内のものである。
【００２８】
例えば、前記実施形態では、一条の縦リブ１０３にて樹脂ボス１２０を支持する形態を例示したが、本発明はこれに限るものではなく、複数のリブを形成することが可能である。また、リブは、樹脂ボス１２０を外側から支持することに限らず、樹脂ボス１２０の内側に内接し、樹脂ボス１２０を内側から支持するように形成する等、様々な形態に展開することが可能である。
【００２９】
また、前記実施形態では、固定型のテレビジョン受像機を音響装置１として適用する形態を示したが、本発明はこれに限らず、上下左右の方向を転回可能な装置に適用することも可能である。その場合、縦リブ１０３は、樹脂ボス１２０の下側に限らず、上方向又は左右方向から支持するように形成する等、様々な形態に展開することが可能である。
【００３０】
更に、前記実施形態では、樹脂ボス１２０並びに筒リブ１０２及び縦リブ１０３により、前後からスピーカ１００を支持する形態を示したが、本発明はこれに限らず、左右方向、更には、前方及び側方等の様々な方向から支持することも可能である。また、その支持形態においても、筒リブ１０２自体を樹脂ボス１２０に当接させて支持する等、様々な形態に展開することが可能である。
【００３１】
更に、前記実施形態では、スピーカ１００の下側にゴムブッシュ１０１を取り付け、縦リブ１０３により、下方からスピーカ１００を支持する形態を示したが、本発明はこれに限らず、スピーカ１００の上側、左右端の中央近傍等、他の位置にゴムブッシュ１０１を取り付けて支持する等、様々な形態に展開することが可能である。
【００３２】
上記説明に基づいて、本願では以下の実施形態を開示する。
【００３３】
［第１実施形態］
本願記載の音響装置１は、振動により音を出力する振動体１００及び前記振動体１００を収納する筐体１０を備える音響装置１であって、前記振動体１００を固定するゴム体１０１と、前記筐体１０内の第１側に固定され、第１側から第２側へ延伸し、前記ゴム体１０１を介して前記振動体１００を支持する樹脂製の第１支持部材１２０と、前記第１支持部材１２０を支持する第２支持部材１０２，１０３とを備え、前記第１支持部材１２０の第２側の先端は、前記ゴム体１０１の位置よりも延出し、前記第２支持部材１０２，１０３は、前記第１支持部材１２０における前記ゴム体１０１の支持位置よりも前記第２側で前記第１支持部材１２０を支持することを特徴とする。
【００３４】
このように構成することにより、本願記載の音響装置１は、振動体１００の支持を金属製の部材ではなく、樹脂製の部材で行うことにより、軽量化、コスト抑制等の効果を奏する。また、第１支持部材１２０及び第２支持部材１０２，１０３で支持することにより、第１支持部材１２０が片持ち状態とならず、安定して振動体１００を支持することが可能となる。更に、ゴム体１０１全体を均等に支えることが見込めるので、ゴム体１０１からの油分の染み出しによるオイルクラックの発生を抑制することが可能である。
【００３５】
［第２実施形態］
本願記載の音響装置１において、前記第１支持部材１２０は、筒状に形成されたボスであり、前記第２支持部材１０２，１０３は、前記筐体１０内の第２側に一端が固定され、第１側へ延伸するリブであり、前記第１支持部材１２０の外側又は内側に当接して第１支持部材１２０を支持することを特徴とする。
【００３６】
これにより、第２支持部材１０２は、第１支持部材１２０を安定して支持することが可能となる。
【００３７】
［第３実施形態］
本願記載の音響装置１において、前記第２支持部材１０２は、内側に突起１０３を有する筒状をなし、前記第１支持部材１２０に外嵌し、前記突起１０３が前記第１支持部材１２０に当接して前記第１支持部材１２０を支持することを特徴とする。
【００３８】
これにより、第２支持部材１０２は、第１支持部材１２０を安定して支持することが可能となる。
【００３９】
更に、テレビジョン受像機に適用する形態を開示する。
【００４０】
［第４実施形態］
本願記載の音響装置１において、前記振動体１００から出力される音に連動する画像を表示する表示部１１を更に備えることを特徴とする。
【００４１】
これにより、本願記載の音響装置１をテレビジョン受像機等の映像を表示する装置に適用することが可能となる。
【００４２】
また、本願記載の音響装置１において、前記振動体１００に音を出力させる音情報を外部から受信する外部情報受信部１５を更に備えることを特徴とする。
【００４３】
これにより、本願記載の音響装置１をテレビジョン受像機等の外部から受信した音情報に基づいて音を出力する装置に適用することが可能となる。
【００４４】
更に、筐体としての形態を開示する。
【００４５】
［第５実施形態］
本願記載の筐体１０は、振動体１００を収納する筐体１０であって、内部の第１側に固定され、第１側から第２側へ延伸し、前記振動体１００を固定するゴム体１０１を介して前記振動体１００を支持する樹脂製の第１支持部材１２０と、前記第１支持部材１２０を支持する第２支持部材１０２，１０３とを備え、前記第１支持部材１２０の第２側の先端は、前記ゴム体１０１の位置よりも延出し、前記第２支持部材１０２，１０３は、前記第１支持部材１２０における前記ゴム体１０１の支持位置よりも前記第２側で前記第１支持部材１２０を支持することを特徴とする。
【００４６】
このように構成することにより、本願記載の筐体１０は、振動体１００の支持を金属製の部材ではなく、樹脂製の部材で行うことにより、軽量化、コスト抑制等の効果を奏する。また、第１支持部材１２０及び第２支持部材１０２，１０３で支持することにより、第１支持部材１２０が片持ち状態とならず、安定して振動体１００を支持することが可能となる。更に、ゴム体１０１全体を均等に支えることが見込めるので、ゴム体１０１からの油分の染み出しによるオイルクラックの発生を抑制することが可能である。
【００４７】
更に、本願記載の音響装置を備えるテレビジョン受像機としての形態を開示する。
【００４８】
［第６実施形態］
更に、本願記載のテレビジョン受像機は、前記音響装置１と、画像を表示する表示部１１と、テレビジョン放送を受信する受信部１５とを備え、前記振動体１００は、前記受信部１５で受信したテレビジョン放送に基づく音を出力し、前記表示部１１は、前記受信部１５で受信したテレビジョン放送に基づく映像を表示し、ことを特徴とする。
【００４９】
このように構成することにより、本願記載のテレビジョン受像機は、振動体１００の支持を金属製の部材ではなく、樹脂製の部材で行うことにより、軽量化、コスト抑制等の効果を奏する。また、第１支持部材１２０及び第２支持部材１０２，１０３で支持することにより、第１支持部材１２０が片持ち状態とならず、安定して振動体１００を支持することが可能となる。更に、ゴム体１０１全体を均等に支えることが見込めるので、ゴム体１０１からの油分の染み出しによるオイルクラックの発生を抑制することが可能である。
【符号の説明】
【００５０】
１        音響装置（テレビジョン受像機）
１０      筐体
１００    スピーカ（振動体）
１０１    ゴムブッシュ（ゴム体）
１０２    筒リブ（第２支持部材）
１０３    縦リブ（第２支持部材）
１１      表示部
１２０    樹脂ボス（第１支持部材）
１５      外部情報受信部（受信部）
【図１】
2019149745.tif 000003
【図２】
2019149745.tif 000004
【図３】
2019149745.tif 000005
【図４】
2019149745.tif 000006
【図５】
2019149745.tif 000007
【図６】
2019149745.tif 000008
【図７】
2019149745.tif 000009